(57)【特許請求の範囲】
【請求項１】
ケース本体に、Ｃａの粉末を圧縮したＣａ固形を設け、該Ｃａ固体の上面にメッシュ状のカバーを設けてなり、水あるいは湯の中でＣａが徐々に反応し、水素ガスを発生することを特徴とする水素発生器。
【請求項２】
ケース本体の内部をポーラス状にしてなることを特徴とする請求項１記載の水素発生器。
【請求項３】
ケース本体の内部に水を引き込むための布を設けてなることを特徴とする請求項１又は２記載の水素発生器。
【請求項４】
カバーをステンレス製とし、使用時に浮上しない重さとすることを特徴とする請求項１、２又は３記載の水素発生器。
【発明の詳細な説明】
【技術分野】
【０００１】  本発明は、主に風呂の中にいれ、水素を発生させ、水素水を製造する水素発生器及び水素発生器用容器に関するものである。
【背景技術】
【０００２】  従来の技術としては、水をマグネシウムに接触させ、水との反応で水素ガスが発生する際に活性水素を水に混入させ、酸化還元電位の低い活性水素水を製造するものがある。（特許文献１参照）【０００３】  また、別の従来技術として、マグネシュウム金属容器を設け、内容物の大きさ以下の窓を設け、内容物としてマグネシュウム金属と、トルマリン鉱石を封じ込めた構造のものがある。（特許文献２参照）
【特許文献１】特開２００４−３３００２８号公報
【特許文献２】特開２００２−３３６８７７号公報
【発明の開示】
【発明が解決しようとする課題】
【０００４】  上記の各従来技術は、マグネシウムを主体として作られている。
周知のとおり、マグネシウムは発火し易い物質であり、特に加工時においては、安全な設備等を必要とする。
また、高価な物質であり、コスト的にも高くつくものである。【０００５】  本発明は、上記の問題点に鑑みなされたもので、その目的は、安価に製造できると共に、効率よく水素を水（湯）の中に混入することのできる水素発生器を提供するものである。
【課題を解決するための手段】
【０００６】  本発明は、上記目的を達成するために、水素発生器においては、ケース本体に、Ｃａの粉末を圧縮したＣａ固形を設け、該Ｃａ固体の上面にメッシュ状のカバーを設けてなる。
また、ケース本体の内部をポーラス状にしてなる。
さらに、ケース本体の内部に水を引き込むための布を設けてなる。
そして、カバーをステンレス製とし、使用時に浮上しない重さとする。
さらにまた、ケース本体の中心部にＣａ固体を設け、該Ｃａ固体の周囲全体をポーラス状に形成してなる。
水素発生器用容器においては、開閉自在な容器の蓋の一部に通孔を設け、該通孔に水が流通するカバーを設けると共に、内部に弾性体を設けてなることを特徴とする。
【発明の効果】
【０００７】  １）、水素発生器においては、ケース本体に、Ｃａの粉末を圧縮したＣａ固形を設け、該Ｃａ固体の上面にメッシュ状のカバーを設けることにより、水（湯）の中でＣａが徐々に反応し、水素ガスを発生し、水（湯）の中に水素ガスを混入（溶解）することができ、水素水として美肌等に効果を有するものである。
２）、ケース本体の内部をポーラス状にすることにより、水（湯）が徐々に入り込みより効率よくＣａと反応し、水素水を作ることができる。
３）、布を設けることにより、水をケース本体の内部（ポーラス状）に引き込むことができ、反応をより効率よく行うことができる。
４）、カバーをメッシュ状にすることにより、泡を小さくでき、より効率よく水素水を作ることができる。
５）、カバーをステンレス製とし、適度な重さとすることにより、浮上することなく使用でき、風呂（容器）の底で、最後まで反応するものである。
６）、Ｃａ固体の周囲全体をポーラス状に形成することにより、水（湯）が徐々に入っていくため、時間をある程度掛けて反応させるのに有効である。
７）、水素発生器用容器においては、弾性体により、水素発生器の上面をカバーに密着して使用できるため、反応をより遅くすることができ、長時間使用する場合に有効である。
【発明を実施するための最良の形態】
【０００８】  水素発生器１は、樹脂等によるケース本体２の外側をやや硬く形成し、内部をポーラス状２ａにしてなる樹脂等によるケース本体２に、Ｃａ（カルシウム）の粉末を圧縮したＣａ固形３を設け、該Ｃａ固形３の上面に、ステンレス製等によるメッシュ状のカバー４をケース本体２と一体に連結してある。【０００９】  上記水素発生器１の使用例について下記に述べる。
湯Ｙを入れた風呂Ｆに水素発生器１を投入することにより、底面ＴにてＣａ固形３がカバー４を通過した水（湯Ｙ）と反応し、水素Ｓを発生すると共に、ポーラス状２ａに水（湯Ｙ）が浸入し、Ｃａ固形３の側面及び裏面とも反応し、水素Ｓ１を発生させることができるものである。【００１０】  この時、カバー４を通過して水素Ｓ・Ｓ１が発生するため、小さな気泡となり、より効率よく水（湯Ｙ）と混合し、溶解できるもので、純度の高い水素水を得ることができる。【００１１】  つぎに、Ｃａ固形３と水（湯Ｙ）が反応して水素Ｓ・Ｓ１を発生させるメカニズムについて述べる。
カルシウムＣａと水Ｈ２Ｏは加水分解してカルシウムイオンと水素イオンと水酸イオンになる。カルシウムと水酸イオンは化合して水酸化カルシウムＣａ（ＯＨ）２という中和塩を作る。
水酸化カルシウムは水に溶解しにくい。２０℃における水１Ｌへの溶解度は１６００ｍｇ／Ｌである。残りの水酸化カルシウムはスラリになって沈殿する。溶解した水酸化カルシウムは加水分解するのでＣａ（ＯＨ）２⇔Ｃａ２＋２ＯＨ−カルシウムイオンと水酸イオンになる。
水酸イオン２ＯＨ−と水素陽イオン２Ｈ＋は化合して水を生成すると共に水を水酸イオン水（すなわちアルカリ水）化し、水素（ガス）Ｈ２を発生する。【００１２】  次に、第２実施例の水素発生器について述べる。
水素発生器２１は、上記と同様な形態に加え、ケース本体２への内部（ポーラス状２２ａ）に水（湯）を引き込むための布５を設けてなるものである。【００１３】  つづいて、第３実施例の水素発生器について述べる。
水素発生器３１は、樹脂製等によるケース本体３２の中心部にＣａ固体３３を設け、該Ｃａ固体３３の周囲全体を樹脂製等によりポーラス状３２ａに形成してなるものである。【００１４】  最後に、水素発生器用容器について述べる。
水素発生器用容器１０は、合成樹脂製等による開閉自在な容器１０ａの蓋１０ａ１の中央部に通孔１０ａ２を設け、該通孔１０ａ２に水（湯）が流通すべく金網、布、スポンジ等によるカバー１０ａ３を設けると共に、容器１０ａの底部にスポンジあるいはバネ等による弾性体１０ｂを設けてなるものである。【００１５】  上記水素発生器用容器１０の使用例を下記に述べる。
まず、水素発生器用容器１０の蓋１０ａ１を開き、中に例えば上記水素発生器３１を入れる。
つづいて、蓋１０ａ１を締めることにより、弾性体１０ｂにより水素発生器３１は上方に押され、上面がカバー１０ａ３に当接して保持される。
この状態で、水中に投入することにより、カバー１０ａ３から水（湯）が流入し、反応するものである。
なお、使用後は再度蓋１０ａ１を開き、水素発生器３１を取り出し、再度新品を入れ、何度でも使用できるものである。【００１６】  上記実施例において、ケース本体の材質、大きさやＣａ固形の量（大きさ）等は必要に応じて決めればよい。
また、カバーのメッシュも、例えば＃２００とするが、特に限定するものではない。
【図面の簡単な説明】
【００１７】
【図１】本発明の第１実施例の水素発生器を示す縦断正面図。
【図２】本発明の第１実施例の水素発生器を示す平面図。
【図３】本発明の第１実施例の水素発生器を示す使用状態の縦断正面図。
【図４】本発明の第２実施例の水素発生器を示す縦断正面図。
【図５】本発明の第３実施例の水素発生器を示す縦断正面図。
【図６】本発明の一実施例を示す水素発生器用容器を示す一部縦断正面図。
【図７】本発明の一実施例を示す水素発生器用容器の使用状態を示す一部縦断面図。
【符号の説明】
【００１８】  １−−−−水素発生器
２−−−−ケース本体
２ａ−−−ポーラス状
３−−−−Ｃａ固形
４−−−−カバー
５−−−−布
１０−−−水素発生器用容器
１０ａ−−容器
１０ａ１−蓋
１０ａ２−通孔
１０ａ３−カバー
１０ｂ−−弾性体
Ｙ−−−−湯
Ｆ−−−−風呂
Ｔ−−−−底面
Ｓ−−−−水素
【図１】
0005115779.tif 000002
【図２】
0005115779.tif 000003
【図３】
0005115779.tif 000004
【図４】
0005115779.tif 000005
【図５】
0005115779.tif 000006
【図６】
0005115779.tif 000007
【図７】
0005115779.tif 000008